(57)【要約】【課題】中継機の構成を簡略化させることによってメンテナンスを容易化し、これに伴うシステムの信頼性の向上を期待することができ、さらには、システム全体の消費電力量を削減することができる無線中継システムを提供する。【解決手段】移動局４との間の上り通信方向及び下り通信方向の光信号を合成・分離して一心双方向通信が実行される光ファイバ伝送路３にて各中継機２と１対１の関係で接続された基地局１が、光ファイバ伝送路３への通信信号の合成及び分離を行う光分波合成器９と、各光ファイバ伝送路３の経路長に起因した光信号の遅延補正を実行する光遅延補正装置１０とを備える。【選択図】        図１
2004236165.tif 000002
【特許請求の範囲】
【請求項１】
移動局と無線通信する複数の中継機が、上記移動局と基地局の間での通信を中継する無線中継システムにおいて、
上記基地局は、
上記中継機ごとに一心双方向通信の光ファイバ伝送路を介して接続し、
上記中継機との間で送受する光通信信号を上記各光ファイバ伝送路に対して合成及び分離する光分波合成部と、
上記中継機との間で送受される通信信号の伝搬遅延を補正する遅延補正部と
を備えたことを特徴とする無線中継システム。
【請求項２】
遅延補正部は、中継機ごとに接続する光ファイバ伝送路にそれぞれ挿入した遅延補正用の光ファイバによって上記各中継機との間での上り方向及び下り方向通信の伝搬遅延を補正することを特徴とする請求項１記載の無線中継システム。
【請求項３】
基地局は、幹線となる一心双方向通信の光ファイバ伝送路から一心多分岐で複数の中継機の各々と接続し、
光分波合成部は、上記光ファイバ伝送路に対して、上記各中継機への光通信信号を波長多重すると共に、上記光ファイバ伝送路上の波長多重信号から上記各中継機からの光通信信号を分離することを特徴とする請求項１記載の無線中継システム。
【発明の詳細な説明】
【０００１】
【発明の属する技術分野】
この発明は移動局と基地局との間で双方向の通信を実行する無線中継システムに係り、特に移動局との間で漏電同軸ケーブルを用いて無線信号を送受する中継機を備え、当該中継機と基地局との間で一心双方向の光通信を実行する無線中継システムに関するものである。
【０００２】
【従来の技術】
無線通信の電波が到達しにくい通信環境下に存在する移動局と基地局との間で通信を実行するために、漏洩同軸ケーブルを介して無線信号の送受信を実行する中継機を備えた無線中継システムがある（例えば、特許文献１参照）。その主な構成としては、移動局の移動方向に沿って複数配置され、漏洩同軸ケーブルを介して移動局との間で無線信号を送受する中継機（特許文献１中の不感地中継局）と、光通信の伝送路として上り回線と下り回線の２つの光ファイバ伝送路で各中継機を従属接続する基地局（特許文献１中の地上中継局）とからなり、各中継機を介して移動局と基地局とが通信する（特許文献１の図４参照）。
【０００３】
中継機を介した移動局と基地局との通信動作について簡単に説明する。
先ず、基地局から移動局に通信する場合、基地局内の高周波送信器が、移動局に送信する情報の高周波電気信号を生成する。次に、基地局内のアナログ光変調器（Ｅ／Ｏ）は、上記高周波電気信号を光信号に変換した後、下り回線用の光ファイバ伝送路に出力する。この光ファイバ伝送路に出力された光信号は、光ファイバ伝送路に介在して中継機ごとに設けられた光カップラによって各中継機側に分岐し入力される。中継機では、内部のアナログ光復調器（Ｏ／Ｅ）によって光信号が高周波電気信号に復調される。この高周波電気信号は、さらに中継機内の高周波送信器により増幅され、漏洩同軸ケーブル（ＬＣＸ）から電波として外部空間に放射される。この信号を受信することにより、移動局は、基地局からの情報を得ることができる。
【０００４】
次に、移動局から基地局に通信する場合、中継機が、漏洩同軸ケーブルからの信号と、下段に接続する中継機からの信号とを送信することになる。つまり、中継機には、漏洩同軸ケーブルで受信した電気信号を光変調するアナログ光変調器（Ｅ／Ｏ）と、各中継機間を逐次接続する上り回線用の光ファイバ伝送路を介して下段の中継機から送信されてきた光信号を電気信号に変換するアナログ光復調器（Ｏ／Ｅ）とが備えられている。具体的な動作としては、中継機内の高周波送信器が、移動局から漏洩同軸ケーブルを介して受信した無線信号に係る高周波電気信号を生成・増幅し、加算器に出力する。同時に、下段の中継機と上り回線用の光ファイバ伝送路に接続するアナログ光復調器が、下段の中継機から送信されてきた光信号を高周波電気信号に変換して加算器に出力する。加算器では、２つの高周波電気信号を合成して、合成した高周波電気信号をアナログ光変調器に出力する。
【０００５】
アナログ光変調器は、入力した高周波電気信号を光信号に変換して上段の中継機内のアナログ光復調器に接続する上り回線用の光ファイバ伝送路に出力する。このように、上り方向の通信では、移動局から基地局に送信された信号を、漏洩同軸ケーブルを介して受信した信号と下段の中継機からの信号との合成信号を生成しながら多段に中継する方式がとられている。このあと、基地局では、上り回線用の光ファイバ伝送路を介して上記合成信号を一括して受信し、内部のアナログ光復調器によって高周波電気信号に復調する。
【０００６】
上述した無線中継システムには、その構成上、後述するような不具合が発生する。例えば、基地局から移動局への下り信号を送信する場合、当該下り信号についての光信号は、光ファイバ伝送路に介在して中継機ごとに設けられた光カップラによって各中継機側に分岐し入力される。ここで、隣接する２つの中継機について考えると、両中継機に分岐・入力された光信号は、それぞれの中継機内で高周波電気信号に変換され、各漏洩同軸ケーブルから電波として放出される。このとき、両中継機の漏洩同軸ケーブルが突き合わせて配置されているような箇所では、両中継機からの信号が同時に移動局に受信されることになる。
【０００７】
つまり、上記箇所では、一方の中継機の漏洩同軸ケーブルからの信号と共に、その下段の中継機の漏洩同軸ケーブルから、光カップラの間隔分の光ファイバ伝送路及び漏洩同軸ケーブル分の遅延が生じた信号が放射される。従って、移動局が受信した両中継機からの信号は、上記両信号間の位相差によって必然的に信号波形歪みが発生する。このように、漏洩同軸ケーブルの位置によっては、移動局が基地局からの情報を正常に受信できない場合がある。このような不具合は、移動局から基地局への上り方向の通信でも同様に発生する。
【０００８】
上述したような不具合を解消するために、従来の無線中継システムでは、隣接した２つの中継機の漏洩同軸ケーブルが互いに突き合わさった箇所にて信号の到達時間が同等になるように、各中継機に信号の到達時間を補正する遅延補正部を設けている。具体的には、各中継機において、下り回線用の光ファイバ伝送路に接続する光カップラとアナログ光復調器（Ｏ／Ｅ）との間や、上り回線用の光ファイバ伝送路に接続するアナログ光変調器と高周波送信器との間に、到達時間差に相当する長さの遅延補正用光ファイバを挿入する。これにより、伝搬経路長に差異に起因した信号波形歪みが抑制され、移動局と基地局との間で正常な通信を実行することができる。
【０００９】
【特許文献１】
特開平９−１３０３２２号公報
【００１０】
【発明が解決しようとする課題】
従来の無線中継システムでは、基地局と中継機が上り回線用及び下り回線用の２つの光ファイバ伝送路を介して通信していたので、光信号の伝送経路の差異に起因した信号の波形歪みを補正する遅延補正用光ファイバを、上り回線用及び下り回線用の２つの光ファイバ伝送路に対して設ける必要があった。さらに、各中継機は、基地局に対して数珠つなぎに接続しているので、各中継機ごとに光ファイバ伝送経路の経路長が異なる。このため、上記遅延補正用光ファイバを、各中継機ごとに設ける必要もあった。このように、従来の無線中継システムでは、中継機ごとに、且つ上り回線用及び下り回線用の２つの光ファイバ伝送路に対して遅延補正用光ファイバを設けなければならないという構成上の制約があり、不可避的にシステム規模が大きくなってしまうという課題があった。
【００１１】
また、上述したように、上り回線用の光ファイバ伝送路では、漏洩同軸ケーブルを介して受信した信号と下段の中継機からの信号との合成信号が伝搬する。このため、中継機は、漏洩同軸ケーブルを介して受信した高周波電気信号を一度光信号に変換してから遅延補正を実行し、補正後の光信号を再び高周波電気信号に変換して、下段の中継機から受信した信号との合成処理を行う必要がある。このように、光信号の伝送経路長の差異に起因した遅延を補正するために、電気信号から光信号への変換、光信号から電気信号への変換を複数回実行しなければならず、アナログ光変調器（Ｅ／Ｏ）やアナログ光復調器（Ｏ／Ｅ）を各中継機ごとに多数搭載する必要があった。
【００１２】
従って、各中継機では、内部の変調器や復調器を動作させるために多くの電力が消費され、ひいてはシステム全体で多大な消費電力量を必要とするという課題があった。また、中継機は、基地局に対して数珠つなぎに逐次接続しているので、基地局から離れた遠方の中継機になるにつれて大量の電力を伝送する必要もある。
【００１３】
この発明は上記のような課題を解決するためになされたもので、中継機と基地局との間を一心双方向通信の光ファイバ伝送路で接続し、伝送経路長の差異を補正する遅延補正部を中継機に設けずに基地局に集約させることで、システムの構成上の制約をなくしてシステム規模の増大化を抑制すると共に、中継機の構成を簡略化させることによってメンテナンスを容易化し、これに伴うシステムの信頼性の向上を期待することができ、さらには、システム全体の消費電力量を削減することができる無線中継システムを得ることを目的とする。
【００１４】
【課題を解決するための手段】
この発明に係る無線中継システムは、基地局が、中継機ごとに一心双方向通信の光ファイバ伝送路を介して接続しており、中継機との間で送受する光通信信号を各光ファイバ伝送路に対して合成及び分離する光分波合成部と、中継機との間で送受される通信信号の伝搬遅延を補正する遅延補正部とを備えるものである。
【００１５】
【発明の実施の形態】
実施の形態１．
図１はこの発明の実施の形態１による無線中継システムの構成を示す図であり、移動局から基地局への上り方向の通信に波長１．３μｍの光信号を割り当て、基地局から移動局への下り方向の通信に波長１．５μｍの光信号を割り当てた場合を示している。基地局１は、一心双方向通信の光ファイバ伝送路３を介して各中継機２と１対１の関係で接続している。また、基地局１は、高周波送信器（ＲＦ）６、アナログ光変調器（Ｅ／Ｏ）７、アナログ光復調器（Ｏ／Ｅ）８、光分波合成器（光分波合成部）９、及び光遅延補正装置（遅延補正部）１０から構成される。光ファイバ伝送路３としては、例えば複数の波長の光信号の伝送に支障をきたさないように、零分散波長などの特性を適切に設定した光ファイバを用いる。
【００１６】
基地局１の構成を説明すると、高周波送信器６は、移動局４とやり取りすべき通信情報を変調された高周波電気信号に変換してアナログ光変調器７に出力すると共に、アナログ光復調器８からの高周波電気信号を増幅する。アナログ光変調器７は、高周波送信器６からの高周波電気信号を下り信号である波長１．５μｍの光信号に変換して光ファイバ伝送路３に出力する。アナログ光復調器８は、各中継機２からの上り信号である波長１．３μｍの光信号を入力して高周波電気信号に変換し、高周波送信器６に出力する。
【００１７】
光分波合成器９は、中継機２に１対１で接続する各光ファイバ伝送路３上の光信号と下り信号である波長１．５μｍの光信号とを合成して中継機２側に伝搬させると共に、各光ファイバ伝送路３を伝搬する光信号から上り信号である波長１．３μｍの光信号を分岐してアナログ光復調器８にそれぞれ出力する。光遅延補正装置（遅延補正部）１０は、光ファイバ伝送路３ごとの経路長の差異による光信号遅延を補正する遅延補正装置であって、例えば隣接した中継機２の漏洩同軸ケーブル（ＬＣＸ）５の突き合わせ点Ａに光信号が到達する信号到達時間が同等となるように各中継機２に接続する光到達時間差に相当する長さの光ファイバを光ファイバ伝送路３に挿入して構成される。
【００１８】
上述したように、基地局１内に各中継機２ごとの光ファイバ伝送路３の遅延を補正する光遅延補正装置１０を設けたことから、中継機２には、アナログ光変調器（Ｅ／Ｏ）及びアナログ光復調器（Ｏ／Ｅ）を必要最小限の数だけ設ければよく、図２に示すように構成することができる。具体的に説明すると、中継機２は、下り信号である波長１．５μｍの光信号と上り信号である波長１．３μｍの光信号とが合成された波長多重通信により一心双方向通信の光ファイバ伝送路３で基地局１と１対１で接続されている。また、中継機２は、光カップラ１１、アナログ光復調器（Ｏ／Ｅ）１２、アナログ光変調器（Ｅ／Ｏ）１３、高周波送信器（ＲＦ）１４、及び漏洩同軸ケーブル（ＬＣＸ）５と接続する共用器（Ｈ）１５から構成される。
【００１９】
光カップラ１１は、光ファイバ伝送路３上を伝搬する合成信号から下り信号である波長１．５μｍの光信号を分波してアナログ光復調器１２に出力すると共に、アナログ光変調器１３からの上り信号である波長１．３μｍの光信号を光ファイバ伝送路３上の信号に合成して基地局１側に伝搬させる。アナログ光復調器１２は、光カップラ１１から受信した下り信号に係る光信号を高周波電気信号に変換する。また、アナログ光変調器１３は、高周波送信器１４からの上り信号に係る高周波電気信号を波長１．３μｍの光信号に変換する。高周波送信器１４は、受信した高周波電気信号を増幅し、共用器１５を経由して漏洩同軸ケーブル５より移動局４に送信したり、漏洩同軸ケーブル５により受信した信号を共用器１５を経由してアナログ光変調器１３に出力する。
【００２０】
次に動作について説明する。
先ず、基地局１から移動局４に通信する場合（下り方向通信）を説明する。
基地局１内の高周波送信器６は、移動局４に送信する情報の高周波電気信号を生成し、アナログ光変調器７に出力する。アナログ光変調器７では、上記高周波電気信号を下り信号である波長１．５μｍの光信号に変換した後、光分波合成器９に出力する。光分波合成器９は、中継機２に１対１で接続する各光ファイバ伝送路３上の光信号と下り信号である波長１．５μｍの光信号とを合成する。続いて、当該合成信号は、光遅延補正装置１０によって各中継機２との間の伝送経路長に対応した遅延補正が行われ、光ファイバ伝送路３を介して中継機２側に伝送される。
【００２１】
ここで、光遅延補正装置１０が遅延補正する量は、基地局１から移動局４への下り方向通信及び移動局４から基地局１への上り方向通信のいずれでも等しい。これにより、一心双方向通信の光ファイバ伝送路３の一部に遅延補正用光ファイバを挿入して光遅延補正装置１０を構成することで、下り方向及び上り方向の通信で遅延補正用光ファイバを共用することが可能になる。また、本発明では、光遅延補正装置１０内の遅延補正用光ファイバによって中継機２が受信する前に各光ファイバ伝送路３上の光信号の遅延補正を行っている。このため、隣接した２つの中継機２間の漏洩同軸ケーブル５の突き合わせ点Ａにおいても、移動局４は、各中継機２からの光信号の位相差による波形歪みが発生しない状態で基地局１から情報を受けることができる。
【００２２】
中継機２では、光カップラ１１によって光ファイバ伝送路３上を伝搬する合成信号から下り信号である波長１．５μｍの光信号を分波してアナログ光復調器１２に出力する。次に、アナログ光復調器１２は、入力した光信号を変調された高周波電気信号に復調し、高周波送信器１４に出力する。このあと、高周波送信器１４は、上記高周波電気信号を増幅して共用器１５を経て漏洩同軸ケーブル５から電波として外部空間に放射させる。この信号を受信することにより、移動局４は、基地局１からの情報を得ることができる。
【００２３】
次に移動局４から基地局１に通信する場合（上り方向通信）を説明する。
移動局４から送信された無線通信信号は、漏洩同軸ケーブル５により電気信号として中継機２に受信される。中継機２内では、共用器１５を経由して受信信号を高周波送信器１４に出力し、高周波送信器１４によって増幅したのちアナログ光変調器１３に出力する。アナログ光変調器１４では、高周波送信器１４から入力した電気信号を上り信号である波長１．３μｍの光信号に光変調して光カップラ１１に出力する。光カップラ１１は、アナログ光変調器１４が光変調した波長１．３μｍの光信号を光ファイバ伝送路３上の信号に合成して基地局１側に伝搬させる。
【００２４】
基地局１では、光遅延補正装置１０にて各光ファイバ伝送路３上の光信号に対して各中継機２との間の伝送経路長に対応した遅延補正が行われる。これにより、移動局４が突き合わせ点Ａで送信した無線信号に由来する上り信号であっても、位相差に起因する波形歪みが発生することがない。光分波合成器９では、各光ファイバ伝送路３上の遅延補正後の光信号から上り信号である波長１．３μｍの光信号を分岐してアナログ光復調器８にそれぞれ出力する。アナログ光復調器８では、入力した波長１．３μｍの光信号を高周波電気信号に変換し、高周波送信器６に出力する。
【００２５】
以上のように、この実施の形態１によれば、基地局１が、移動局４に対する上り通信方向及び下り通信方向の光信号を合成・分離して一心双方向通信が実行される光ファイバ伝送路３にて各中継機２と１対１の関係で接続され、光ファイバ伝送路３への通信信号の合成及び分離を行う光分波合成器９と、各光ファイバ伝送路３の経路長に起因した光信号の遅延補正を実行する光遅延補正装置１０とを備えたので、一心双方向通信の光ファイバ伝送路３にて基地局１と中継機２が接続され、中継機ごとに光遅延補正装置を設ける必要がなくなったことから、システムの構成上の制約がなくなり、システム規模の増大化を抑制することができる。また、中継機の構成が簡略化することから、メンテナンスが容易になり、これに伴うシステムの信頼性の向上を期待することができる。
【００２６】
また、一心双方向通信の光ファイバ伝送路の一部に遅延補正用光ファイバを挿入して光遅延補正装置１０を構成することで、従来のように上り回線用及び下り回線用の２つの遅延補正用光ファイバを中継機ごとに設けることなく、これら遅延補正用光ファイバを利用するために必要であった変調器や復調器を省略することができることから、中継機の小型化や消費電力量の削減を実現することができ、ひいてはシステム全体の消費電力量を削減することができる。
【００２７】
なお、上記実施の形態１では、下り方向の光信号の波長を１．５μｍとし、上り方向の光信号の波長を１．３μｍとする例を示したが、一心双方向通信が可能な任意の２波長であれば良い。
【００２８】
実施の形態２．
図３はこの発明の実施の形態２による無線中継システムの構成を示す図であり、移動局から基地局への上り方向の通信に波長１．３１μｍ、１．３２μｍ、１．３３μｍの各光信号を割り当て、基地局から移動局への下り方向の通信に波長１．５５１μｍ、１．５５２μｍ、１．５５３μｍの各光信号を割り当てた場合を示している。本実施の形態では、基地局１Ａに対して幹となる光ファイバから中継機２ごとに分岐する一心多分岐の光ファイバ伝送路３で各中継機２を接続している。また、波長１．５５１μｍ、１．５５２μｍ、１．５５３μｍの各光信号をそれぞれ伝送経路長が異なる３つの中継機２に対する下り信号として使用すると共に、波長１．３１μｍ、１．３２μｍ、１．３３μｍの各光信号をそれぞれ伝送経路長が異なる３つの中継機２からの上り信号として使用する。
【００２９】
基地局１Ａ内のアナログ光変調器７ａ，７ｂ，７ｃは、基地局１Ａから移動局４に送信された下り信号に係る高周波電気信号を、それぞれ波長１．５５１μｍ、１．５５２μｍ、１．５５３μｍの光信号に変換し、上り方向通信用に設けられた光遅延補正装置１０ａに出力する。一方、アナログ光復調器８ａ，８ｂ，８ｄでは、光遅延補正装置１０ｂによって遅延補正された異なる３つの波長１．３１μｍ、１．３２μｍ、１．３３μｍの光信号を高周波電気信号にそれぞれ変換し、高周波送信器６に出力する。光分波合成器（光分波合成部）９ａは、波長分割多重（ＷＤＭ；Ｗａｖｅ  Ｌｅｎｇｔｈ  ｄｉｖｉｓｉｏｎ  ｍｕｌｔｉｐｌｅｘｉｎｇ）技術を適用した一心双方向通信を実現するためのハードウェアである合波器、分波器、光アンプや必要に応じて分散補償モジュールなどから構成され、光ファイバ伝送路３に複数の光信号を多重させる。
【００３０】
光遅延補正装置（遅延補正部）１０ａ，１０ｂは、中継機２ごとの伝送経路長の差異による光信号遅延を補正する遅延補正装置であって、それぞれ下り方向及び上り方向の通信に対応している。また、これら遅延補正装置１０ａ，１０ｂは、上記実施の形態１と同様に、例えば隣接した中継機２の漏洩同軸ケーブル（ＬＣＸ）５の突き合わせ点Ａに光信号が到達する信号到達時間が同等となるように各中継機２に接続する光到達時間差に相当する長さの光ファイバを光ファイバ伝送路３に挿入して構成される。なお、図１と同一若しくはこれに相当する構成要素には、同一符号を付し重複する説明を省略する。
【００３１】
次に動作について説明する。
先ず、基地局１Ａから移動局４に通信する場合（下り方向通信）を説明する。基地局１Ａ内の高周波送信器６は、移動局４に送信する情報の高周波電気信号を生成し、下り方向通信用のアナログ光変調器７ａ，７ｂ，７ｃに出力する。アナログ光変調器７ａ，７ｂ，７ｃでは、上記高周波電気信号を同時に異なる３つの波長１．５５１μｍ、１．５５２μｍ、１．５５３μｍの光信号にそれぞれ変換した後、下り方向通信用の光遅延補正装置１０ａに出力する。光遅延補正装置１０ａでは、アナログ光変調器７ａ，７ｂ，７ｃからの光信号に対して各中継機２との間の伝送経路長に応じた長さの光ファイバを用いて遅延補正を行い、光分波合成器９ａに出力する。光分波合成器９ａは、遅延補正後の各光信号を波長分割多重して、光ファイバ伝送路３を介して中継機２側に伝送する。
【００３２】
中継機２は、上記実施の形態１で示した図２と同様な構成を有しているが、中継機２ごとに受信すべき下り信号及び送信すべき上り信号の波長が予め設定されている。具体的に図２を用いて説明すると、中継機２は、内部の光カップラ１１によって光ファイバ伝送路３上を伝搬する合成信号から自己に対応した波長の下り信号を分波してアナログ光復調器１２に出力する。次に、アナログ光復調器１２は、入力した光信号を変調された高周波電気信号に復調し、高周波送信器１４に出力する。このあと、高周波送信器１４は、上記高周波電気信号を増幅して共用器１５を経て漏洩同軸ケーブル５から電波として外部空間に放射させる。この信号を受信することにより、移動局４は、基地局１Ａからの情報を得ることができる。
【００３３】
次に移動局４から基地局１Ａに通信する場合（上り方向通信）を説明する。
図２を用いて説明すると、移動局４から送信された無線通信信号は、漏洩同軸ケーブル５により電気信号として中継機２に受信される。中継機２内では、共用器１５を経由して受信信号を高周波送信器１４に出力し、高周波送信器１４によって増幅したのちアナログ光変調器１３に出力する。アナログ光変調器１３では、高周波送信器１４から入力した電気信号を自己に設定された波長の光信号に光変調して光カップラ１１に出力する。光カップラ１１は、アナログ光変調器１３が光変調した光信号を光ファイバ伝送路３上の信号に合成して基地局１Ａ側に伝搬させる。
【００３４】
基地局１Ａでは、光分波合成器９ａによって光ファイバ伝送路３上の光信号を各中継機２に対応した波長毎に分波した後、上り方向通信用の光遅延補正装置１０ｂに入力する。光遅延補正装置１０ｂでは、光分波合成器９ａからの各中継機２に対応した上り信号に対して各中継機２の伝送経路長に対応した遅延補正をそれぞれ実行する。これにより、移動局４が突き合わせ点Ａで送信した無線信号に由来する上り信号であっても、位相差に起因する波形歪みが発生することがない。これら遅延補正後の各光信号は、各中継機２に応じて設けられたアナログ光復調器８ａ，８ｂ，８ｃにそれぞれ入力される。このあと、アナログ光復調器８ａ，８ｂ，８ｃは、各光信号を高周波電気信号にそれぞれ変換し、高周波送信器６に出力する。
【００３５】
以上のように、この実施の形態２によれば、基地局１Ａが、移動局４に対する上り通信方向及び下り通信方向の光信号を合成・分離して一心双方向通信が実行される光ファイバ伝送路３にて各中継機２ごとに一心多分岐接続し、光ファイバ伝送路３への複数の異なる波長の光通信信号を波長分離多重する光分波合成器９ａと、下り方向及び上り方向通信について各光ファイバ伝送路３の経路長に起因する光信号の遅延補正をそれぞれ実行する光遅延補正装置１０ａ，１０ｂとを備えたので、上記実施の形態１と同様な効果を得ることができる。また、上記実施の形態１では、複数の光ファイバ伝送路３を使用する必要があったが、波長分割多重技術を利用して１本の光ファイバ伝送路３で情報が伝送されることから、上記実施の形態１の構成中の空いている光ファイバを利用して実施の形態２のシステムを敷設することも可能であり、設置工事を単純化することができる。
【００３６】
【発明の効果】
以上のように、この発明によれば、移動局と無線通信する複数の中継機が、移動局と基地局の間での通信を中継する無線中継システムにおいて、基地局が、中継機ごとに一心双方向通信の光ファイバ伝送路を介して接続し、中継機との間で送受する光通信信号を各光ファイバ伝送路に対して合成及び分離する光分波合成部と、中継機との間で送受される通信信号の伝搬遅延を補正する遅延補正部とを備えたので、中継機ごとに遅延補正部を必要とすることがなくなったことから、遅延補正部を設けるために必要であった光変調器や復調器を省略することができ、中継機の小型化や構造の簡略化に加え、その消費電力を少なくすることができるという効果がある。これにより、システム全体の消費電力の削減や規模の拡大を抑制することができる。また、中継機内の給電が必要な構成が省略されることから、基地局からの給電をより簡単な設備で実施することが可能になり、無線中継システムをより簡単に構成することができるという効果がある。
【図面の簡単な説明】
【図１】この発明の実施の形態１による無線中継システムの構成を示す図である。
【図２】図１中の中継機の構成を示す図である。
【図３】この発明の実施の形態２による無線中継システムの構成を示す図である。
【符号の説明】
１，１Ａ  基地局、２  中継機、３  光ファイバ伝送路、４  移動局、５  漏洩同軸ケーブル（ＬＣＸ）、６，１４  高周波送信器（ＲＦ）、７，７ａ，７ｂ，７ｃ，１３  アナログ光変調器（Ｅ／Ｏ）、８，８ａ，８ｂ，８ｃ，１２  アナログ光復調器（Ｏ／Ｅ）、９，９ａ  光分波合成器（光分波合成部）、１０，１０ａ，１０ｂ  光遅延補正装置（遅延補正部）、１１  光カップラ、１５  共用器（Ｈ）。
【図１】
2004236165.tif 000003
【図２】
2004236165.tif 000004
【図３】
2004236165.tif 000005